(57)【要約】  利用者を検出する機器を追加することなく、利用者が識別体を所持しないで管理領域から出ることを抑制できる入退室管理システムを提供する。入退室管理システムは、管理領域の出入口の周囲において前記管理領域の外側に設けられ、検出範囲の内部に存在する識別体を検出する識別体検出部と、前記管理領域の出入口の周囲に設けられた報知部と、前記管理領域の出入口に設けられた扉の開閉状態を検出する扉状態検出部と、前記扉状態検出部が前記扉の閉状態から開状態への変化を検出した際に前記識別体検出部が識別体を検出していない場合は、前記報知部に警報を発生させる制御部と、を備えた。
2017221328.tif 000002
【特許請求の範囲】
【請求項１】
管理領域の出入口の周囲において前記管理領域の外側に設けられ、検出範囲の内部に存在する識別体を検出する識別体検出部と、
前記管理領域の出入口の周囲に設けられた報知部と、
前記管理領域の出入口に設けられた扉の開閉状態を検出する扉状態検出部と、
前記扉状態検出部が前記扉の閉状態から開状態への変化を検出した際に前記識別体検出部が識別体を検出していない場合は、前記報知部に警報を発生させる制御部と、
を備えた入退室管理システム。
【請求項２】
前記制御部は、前記識別体検出部が識別体を検出した後に前記扉状態検出部が前記扉の閉状態から開状態への変化を検出した際に前記識別体検出部が識別体を検出しない場合は、前記報知部に警報を発生させる請求項１に記載の入退室管理システム。
【請求項３】
前記制御部は、前記識別体検出部が識別体を検出した後に前記扉状態検出部が前記扉の閉状態から開状態への変化を検出した際に前記識別体検出部が識別体を検出しない場合は、外部に警報を通知する請求項２に記載の入退室管理システム。
【請求項４】
前記識別体検出部は、前記扉状態検出部が前記扉の閉状態から開状態への変化を検出した際に識別体の検出範囲を狭める請求項１から請求項３のいずれか１項に記載の入退室管理システム。
【発明の詳細な説明】
【技術分野】
【０００１】
この発明は、入退室管理システムに関する。
【背景技術】
【０００２】
特許文献１は、入退室管理システムを開示する。当該入退室管理システムによれば、利用者が識別体を所持しないで管理領域から出ることを抑制できる。
【先行技術文献】
【特許文献】
【０００３】
【特許文献１】日本特開２０１０−１８５２６３号公報
【発明の概要】
【発明が解決しようとする課題】
【０００４】
しかしながら、特許文献１に記載の入退室管理システムにおいては、利用者を検出する必要がある。このため、センサ等の新たな機器が必要となる。【０００５】
この発明は、上述の課題を解決するためになされた。この発明の目的は、利用者を検出する機器を追加することなく、利用者が識別体を所持しないで管理領域から出ることを抑制できる入退室管理システムを提供することである。
【課題を解決するための手段】
【０００６】
この発明に係る入退室管理システムは、管理領域の出入口の周囲において前記管理領域の外側に設けられ、検出範囲の内部に存在する識別体を検出する識別体検出部と、前記管理領域の出入口の周囲に設けられた報知部と、前記管理領域の出入口に設けられた扉の開閉状態を検出する扉状態検出部と、前記扉状態検出部が前記扉の閉状態から開状態への変化を検出した際に前記識別体検出部が識別体を検出していない場合は、前記報知部に警報を発生させる制御部と、を備えた。
【発明の効果】
【０００７】
この発明によれば、扉状態検出部が扉の閉状態から開状態への変化を検出した際に識別体検出部が識別体を検出していない場合、警報が発生する。このため、利用者を検出する機器を追加することなく、利用者が識別体を所持しないで管理領域から出ることを抑制できる。
【図面の簡単な説明】
【０００８】
【図１】この発明の実態の形態１における入退室管理システムの構成図である。
【図２】この発明の実態の形態１における入退室管理システムの管理装置の動作を説明するためのフローチャートである。
【図３】この発明の実施の形態１における入退室管理システムのコントローラのハードウェア構成図である。
【図４】この発明の実態の形態２における入退室管理システムの管理装置の動作を説明するためのフローチャートである。
【発明を実施するための形態】
【０００９】
この発明を実施するための形態について添付の図面に従って説明する。なお、各図中、同一又は相当する部分には同一の符号が付される。当該部分の重複説明は適宜に簡略化または省略する。
【００１０】
実施の形態１．
図１はこの発明の実態の形態１における入退室管理システムの構成図である。
【００１１】
図１において、扉１は、図示されない管理領域の出入口に設けられる。例えば、管理領域は、利用者の出入りを厳重に管理すべき部屋である。
【００１２】
図１に示すように、入退室管理システムは、電子錠２と認証装置３とコントローラ４とを備える。
【００１３】
電子錠２は、扉１に設けられる。電子錠２は、錠前機構２ａと扉状態検出部２ｂとを備える。
【００１４】
認証装置３は、管理領域の出入口の周囲において管理領域の外側に設けられる。認証装置３は、識別体検出部３ａと報知部３ｂとを備える。
【００１５】
コントローラ４は、記憶部４ａと認証部４ｂと制御部４ｃとを備える。
【００１６】
例えば、監視装置５は、管理領域から離れた位置に配置される。
【００１７】
識別体６は、利用者に所持される。例えば、識別体６は、無線ＩＤタグである。識別体６は、識別情報を記憶する。
【００１８】
利用者が識別体６を所持した状態で管理領域の外側から扉１に近付くと、識別体６は、識別体検出部３ａの検出範囲の内部に進入する。この際、識別体検出部３ａは、識別体６を検出する。具体的には、識別体検出部３ａは、検出範囲の内部に存在する識別体６から識別情報を読み取る。
【００１９】
認証部４ｂは、識別体検出部３ａが読み取った識別情報と記憶部４ａに記憶された識別情報とを比較する。識別体検出部３ａが読み取った識別情報が記憶部４ａに記憶された識別情報と一致した場合、認証部４ｂは、当該識別体６を認証する。識別体検出部３ａが読み取った識別情報が記憶部４ａに記憶された識別情報と一致しない場合、認証部４ｂは、当該識別体６を認証しない。
【００２０】
認証部４ｂが識別体６を認証した場合、制御部４ｃは、錠前機構２ａを用いて扉１を解錠する。認証部４ｂが識別体６を認証しない場合、制御部４ｃは、錠前機構２ａを用いて扉１の施錠を維持する。
【００２１】
この際、扉状態検出部２ｂは、扉１の開閉状態を検出する。扉状態検出部２ｂが扉１の閉状態から開状態への変化を検出した際に識別体検出部３ａが識別体６から識別情報を読み取らない場合、制御部４ｃは、報知部３ｂに警報を発生させる。具体的には、制御部４ｃは、報知部３ｂに識別体未所持警報音を再生させる。さらに、制御部４ｃは、外部に警報を通知する。例えば、制御部４ｃは、監視装置５に警報を通知する。
【００２２】
利用者が管理領域の内側から扉１を開くと、扉状態検出部２ｂは、扉１の閉状態から開状態への変化を検出する。この際、識別体検出部３ａが識別体６から識別情報を読み取らないと、制御部４ｃは、報知部３ｂに警報を発生させる。具体的には、制御部４ｃは、報知部３ｂに識別体未所持警報音を再生させる。
【００２３】
次に、図２を用いて、入退室管理システムの動作を説明する。
図２はこの発明の実態の形態１における入退室管理システムの管理装置の動作を説明するためのフローチャートである。
【００２４】
ステップＳ１では、認証部４ｂは、識別体検出部３ａが識別体６を検出したか否かを判定する。
【００２５】
ステップＳ１で識別体検出部３ａが識別体６を検出していない場合は、退室フローに移行する。具体的には、ステップＳ２に進む。ステップＳ２では、制御部４ｃは、扉状態検出部２ｂが扉１の開状態を検出しているか否かを判定する。
【００２６】
ステップＳ２で扉状態検出部２ｂが扉１の開状態を検出していない場合は、ステップＳ１に戻る。ステップＳ２で扉状態検出部２ｂが扉１の開状態を検出している場合は、ステップＳ３に進む。
【００２７】
ステップＳ３では、認証部４ｂは、識別体検出部３ａが識別体６を検出したか否かを再び判定する。
【００２８】
ステップＳ３で識別体検出部３ａが識別体６を検出した場合は、ステップＳ１に戻る。ステップＳ３で識別体検出部３ａが識別体６を検出していない場合は、ステップＳ４に進む。
【００２９】
ステップＳ４では、制御部４ｃは、報知部３ｂに識別体未所持警報音を再生させる。その後、ステップＳ１に戻る。
【００３０】
ステップＳ１で識別体検出部３ａが識別体６を検出した場合は、入室フローに移行する。具体的には、ステップＳ５に進む。ステップＳ５では、制御部４ｃは、認証部４ｂが当該識別体６を認証したか否かを判定する。
【００３１】
ステップＳ５で認証部４ｂが当該識別体６を認証しない場合は、ステップＳ１に戻る。ステップＳ５で認証部４ｂが当該識別体６を認証した場合は、ステップＳ６に進む。
【００３２】
ステップＳ６では、制御部４ｃは、錠前機構２ａを用いて扉１を解錠する。その後、ステップＳ７に進む。ステップＳ７では、制御部４ｃは、扉状態検出部２ｂが扉１の開状態を検出しているか否かを判定する。
【００３３】
ステップＳ７で扉状態検出部２ｂが扉１の開状態を検出していない場合は、予め設定されたタイムアウトが実行されるまでステップＳ７が繰り返される。タイムアウトが実行された場合は、ステップＳ８に進む。ステップＳ８では、制御部４ｃは、錠前機構２ａを用いて扉１を施錠する。その後、ステップＳ１に戻る。
【００３４】
ステップＳ７で扉状態検出部２ｂが扉１の開状態を検出している場合は、ステップＳ９に進む。ステップＳ９では、認証部４ｂは、識別体検出部３ａが識別体６を検出したか否かを再び判定する。
【００３５】
ステップＳ９で識別体検出部３ａが識別体６を検出した場合は、ステップＳ１に戻る。ステップＳ９で識別体検出部３ａが識別体６を検出していない場合は、ステップＳ１０に進む。
【００３６】
ステップＳ１０では、制御部４ｃは、報知部３ｂに識別体未所持警報音を再生させる。さらに、制御部４ｃは、監視装置５に警報を通知する。その後、ステップＳ１に戻る。
【００３７】
以上で説明した実施の形態１によれば、扉状態検出部２ｂが扉１の閉状態から開状態への変化を検出した際に識別体検出部３ａが識別体６を検出していない場合、警報が発生する。このため、識別体６を所持しない利用者に対して、警報を発生させることができる。その結果、利用者を検出する機器を追加することなく、利用者が識別体６を所持しないで管理領域から出ることを抑制できる。
【００３８】
また、識別体検出部３ａが識別体６を検出した後に扉状態検出部２ｂが扉１の閉状態から開状態への変化を検出した際に識別体検出部３ａが識別体６を検出しない場合、警報が発生する。このため、不審者が管理領域に入ることを検出できる。その結果、不審者を取り押さえることができる。
【００３９】
この際、警報は、監視装置５にも通知される。このため、管理領域のセキュリティを高めることができる。
【００４０】
次に、図３を用いて、コントローラ４の例を説明する。
図３はこの発明の実施の形態１における入退室管理システムのコントローラのハードウェア構成図である。
【００４１】
コントローラ４の主な機能は、処理回路により実現し得る。例えば、処理回路は、少なくとも１つのプロセッサ７ａと少なくとも１つのメモリ７ｂとを備える。例えば、処理回路は、少なくとも１つの専用のハードウェア８を備える。
【００４２】
処理回路が少なくとも１つのプロセッサ７ａと少なくとも１つのメモリ７ｂとを備える場合、コントローラ４の主な機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ７ｂに格納される。少なくとも１つのプロセッサ７ａは、少なくとも１つのメモリ７ｂに記憶されたプログラムを読み出して実行することにより、コントローラ４の主な機能を実現する。少なくとも１つのプロセッサ７ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ７ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００４３】
処理回路が少なくとも１つの専用のハードウェア８を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、コントローラ４の主な機能は、それぞれ処理回路で実現される。例えば、コントローラ４の主な機能は、まとめて処理回路で実現される。
【００４４】
コントローラ４の主な機能について、一部を専用のハードウェア８で実現し、他部をソフトウェア又はファームウェアで実現してもよい。例えば、認証部４ｂの機能については専用のハードウェア８としての処理回路で実現し、認証部４ｂ以外の機能については少なくとも１つのプロセッサ７ａが少なくとも１つのメモリ７ｂに格納されたプログラムを読み出して実行することにより実現してもよい。
【００４５】
このように、処理回路は、ハードウェア８、ソフトウェア、ファームウェア、又はこれらの組み合わせによって、コントローラ４の主な機能を実現する。
【００４６】
実施の形態２．
図４はこの発明の実態の形態２における入退室管理システムの管理装置の動作を説明するためのフローチャートである。なお、実施の形態１と同一又は相当部分には、同一符号が付される。当該部分の説明は省略される。
【００４７】
実施の形態２の入退室管理システムは、実施の形態１の入退室管理システムよりも識別体６を所持しない利用者または不審者をより確実に検出するシステムである。
【００４８】
実施の形態２の入退室管理システムにおいて、ステップＳ１では、認証部４ｂは、識別体検出部３ａが識別体６を検出したか否かを判定する。
【００４９】
ステップＳ１で識別体検出部３ａが識別体６を検出していない場合は、退室フローに移行する。具体的には、ステップＳ２に進む。ステップＳ２では、制御部４ｃは、扉状態検出部２ｂが扉１の開状態を検出しているか否かを判定する。
【００５０】
ステップＳ２で扉状態検出部２ｂが扉１の開状態を検出していない場合は、ステップＳ１に戻る。ステップＳ２で扉状態検出部２ｂが扉１の開状態を検出している場合は、ステップＳ１１に進む。
【００５１】
ステップＳ１１では、識別体検出部３ａは、識別体６の検出範囲を変更する。具体的には、識別体検出部３ａは、識別体６の検出範囲を狭める。例えば、識別体検出部３ａは、検出電波の強度を弱くする。その後、ステップＳ３に進む。ステップＳ３では、認証部４ｂは、識別体検出部３ａが識別体６を検出したか否かを再び判定する。
【００５２】
ステップＳ３で識別体検出部３ａが識別体６を検出した場合は、ステップＳ１２に進む。ステップＳ１２では、識別体検出部３ａは、検出範囲を変更する。具体的には、識別体検出部３ａは、識別体６の検出範囲を拡げる。例えば、識別体検出部３ａは、検出電波の強度を初期状態に戻す。その後、ステップＳ１に戻る。
【００５３】
ステップＳ３で識別体検出部３ａが識別体６を検出していない場合は、ステップＳ４に進む。ステップＳ４では、制御部４ｃは、報知部３ｂに識別体未所持警報音を再生させる。その後、ステップＳ１２に進む。ステップＳ１２では、識別体検出部３ａは、検出範囲を変更する。具体的には、識別体検出部３ａは、識別体６の検出範囲を拡げる。例えば、識別体検出部３ａは、検出電波の強度を初期状態に戻す。その後、ステップＳ１に戻る。
【００５４】
ステップＳ１で識別体検出部３ａが識別体６を検出した場合は、入室フローに移行する。具体的には、ステップＳ５に進む。ステップＳ５では、制御部４ｃは、認証部４ｂが当該識別体６を認証したか否かを判定する。
【００５５】
ステップＳ５で認証部４ｂが当該識別体６を認証しない場合は、ステップＳ１に戻る。ステップＳ５で認証部４ｂが当該識別体６を認証した場合は、ステップＳ６に進む。
【００５６】
ステップＳ６では、制御部４ｃは、錠前機構２ａを用いて扉１を解錠する。その後、ステップＳ７に進む。ステップＳ７では、制御部４ｃは、扉状態検出部２ｂが扉１の開状態を検出しているか否かを判定する。
【００５７】
ステップＳ７で扉状態検出部２ｂが扉１の開状態を検出していない場合は、予め設定されたタイムアウトが実行されるまでステップＳ７が繰り返される。タイムアウトが実行された場合は、ステップＳ８では、制御部４ｃは、錠前機構２ａを用いて扉１を施錠する。その後、ステップＳ１に戻る。
【００５８】
ステップＳ７で扉状態検出部２ｂが扉１の開状態を検出している場合は、ステップＳ１３に進む。ステップＳ１３では、識別体検出部３ａは、識別体６の検出範囲を変更する。具体的には、識別体検出部３ａは、識別体６の検出範囲を狭める。例えば、識別体検出部３ａは、検出電波の強度を弱くする。その後、ステップＳ９に進む。ステップＳ９では、認証部４ｂは、識別体検出部３ａが識別体６を検出したか否かを再び判定する。
【００５９】
ステップＳ９で識別体検出部３ａが識別体６を検出した場合は、ステップＳ１４に進む。ステップＳ１４では、識別体検出部３ａは、検出範囲を変更する。具体的には、識別体検出部３ａは、識別体６の検出範囲を拡げる。例えば、識別体検出部３ａは、検出電波の強度を初期状態に戻す。その後、ステップＳ１に戻る。
【００６０】
ステップＳ９で識別体検出部３ａが識別体６を検出していない場合は、ステップＳ１０に進む。ステップＳ１０では、制御部４ｃは、報知部３ｂに識別体未所持警報音を再生させる。さらに、制御部４ｃは、監視装置５に警報を通知する。その後、ステップＳ１４に進む。ステップＳ１４では、識別体検出部３ａは、検出範囲を変更する。具体的には、識別体検出部３ａは、識別体６の検出範囲を拡げる。例えば、識別体検出部３ａは、検出電波の強度を初期状態に戻す。その後、ステップＳ１に戻る。
【００６１】
以上で説明した実施の形態２によれば、識別体６の再検出の直前に識別体６の検出範囲が狭められる。このため、識別体６を所持した他の利用者が扉１の付近に偶然存在している場合でも警報が発生する。その結果、識別体６を所持しない利用者または不審者をより確実に検出することができる。
【００６２】
この際、検出範囲は、管理領域の出入口の大きさ等に応じて適宜設定される。例えば、検出範囲は、扉１の位置を含みつつ極力狭くなうように設定される。
【産業上の利用可能性】
【００６３】
以上のように、入退室管理システムは、利用者が識別体を所持しないで管理領域から出ることを抑制するシステムに利用できる。
【符号の説明】
【００６４】
１  扉、  ２  電子錠、  ２ａ  錠前機構、  ２ｂ  扉状態検出部、  ３  認証装置、  ３ａ  識別体検出部、  ３ｂ  報知部、  ４  コントローラ、  ４ａ  記憶部、  ４ｂ  認証部、  ４ｃ  制御部、  ５  監視装置、  ６  識別体、  ７ａ  プロセッサ、  ７ｂ  メモリ、  ８  ハードウェア
【図１】
2017221328.tif 000003
【図２】
2017221328.tif 000004
【図３】
2017221328.tif 000005
【図４】
2017221328.tif 000006
【国際調査報告】
2017221328.tif 000007
2017221328.tif 000008